(57)【要約】【課題】  ウミケムシ12に触れることなく、空中でウミケムシを外し、そのまま海中に落として処分できる針外し器を提供する【課題を解決するための手段】  針外し器１は、元側の握り２や先側に延びる柄４、柄４の先側に設けられた先部６を備える。先部６は、ハリス17及び針15を通す溝67と、溝67の近傍に配設された、針15のフトコロ15mが当たって針の回動中心となるピン８を有する。【選択図】  図６
2017093343.tif 000002
【特許請求の範囲】
【請求項１】
握り（２）、該握り（２）から先側に延びる柄（４）、及び、該柄（４）の先側に設けられた先部（６）を備え、
該先部（６）に、
ハリス（17）及び針（15）を通す溝（67）と、
該溝（67）の近傍に配設された、前記針（15）のフトコロ（15m）が当たって該針（15）の回る中心となるピン（８）と、
を有することを特徴とする針外し器（１）。
【請求項２】
前記先部（６）は、二股状に先側に突き出す前下突片（65）及び後側突片61を有し、
両突片（65・61）の間に、前記溝（67）が先開き略Ｕ字状に形成されており、
前記ピン（８）が、前記溝（67）の上方に、隙間（Ｓ）を開けて架設されていることを特徴とする請求項１記載の針外し器（１）。
【請求項３】
前記溝（67）の元側奥の壁（63）が半円状に先側に突出するように形成されており、前記針（15）のフトコロ（15m）の保持部となりうることを特徴とする請求項１又は２記載の針外し器（１）。
【発明の詳細な説明】
【技術分野】
【０００１】
本発明は、釣った魚から釣針を外すのに用いる針外し器に関する。特には、ウミケムシが針にかかった場合に、ウミケムシに手を触れずに釣針から外せる針外し器に関する。
【背景技術】
【０００２】
釣針を飲み込んだ魚から針を外す針外し器として昔から広く用いられているものは、太さ４ｍｍ程度・長さ２０ｃｍ程度の金属棒の端部にＣ字型部（フック部）を形成したもの（ここでは「編み棒型」という）である。なお、魚のサイズによって、異なるサイズの針外し器を用いる。この「編み棒型」の針外し器を用いて針を外す際には、まず釣った魚を手で持って、魚の口から出ているハリスにＣ字型部の切り欠き（スリット）を通し、ハリスに沿ってＣ字型部を魚の口の中に差し込む。そして、針まで達したＣ字型部を針のフトコロの最深部に当てて針外し器を魚の奥方向に押す。すると、針が魚の口内の肉から奥方向に抜けて外れる。
【０００３】
この「編み棒型」の針外し器の改良型としては、Ｃ字型部を形成した側の反対側の端部に、魚の口の入口に近い部分に刺さった針を外しやすいＹ字型部を設けたものがある。また、Ｃ字型部からハリスが抜け出さないよう、切り欠きを閉じるレバー（いわゆるナスカン）を設けたものがある。
【０００４】
「編み棒型」の針外し器の弱点は、片手で魚を握って、もう一方の手で針外し器を操作しなければならない点である。ところが、ゴンズイやハオコゼなど、ヒレに毒針を持つ魚や、メゴチやヒイラギなど体表面にヌメリ質を持つ魚が掛かった場合は、手で魚を握ることができない。その場合は、魚ハサミ（氷ハサミのようなもの）で魚を挟んで針外しせねばならず、煩雑さが増す。
【０００５】
さらに面倒なのが、釣針にウミケムシがかかった場合である。ウミケムシ（海毛虫）とは、ゴカイと同じ多毛類に属する生物で、体長10cm程度で、体側に毒針の体毛がびっしり生えた生物である。元々は南太平洋やインド洋などの暖かい海にもっぱら生息していたのであるが、地球温暖化の影響か、近年は、日本の瀬戸内海で繁殖し、さらに太平洋側では伊豆近辺、日本海側では富山湾・山形沿岸でも見られるようになっている。
【０００６】
ウミケムシは、特に、カレイ釣りのような、数本の投げ竿を竿立てに掛けて置き竿で狙う釣りによくかかる。カレイ釣りでは、比較的大きな釣針に太いイソメの餌さをつけるのが代表的であるが、ウミケムシがイソメと大針を丸呑みにして掛かってくる。このウミケムシは上述のように毒針が体側にびっしり生えており、素手で触れると刺されて痛みや痒みが出ることから、釣り人の嫌われ者である。
【０００７】
ウミケムシを釣針から外すときには、食いつかれた餌さのイソメにもウミケムシの毒針が刺さっているため（ウミケムシは体の内側からも毒針を刺す）、イソメもすっかり取り除く必要がある。ウミケムシに手を触れずにイソメと共に外すには、上述の「編み棒型」の針外し器や、針金をＵ字型に曲げたものを用いて、Ｃ字やＵ字の中で針を掛け、ハリスを手で引っ張って、ウミケムシとイソメをしごいて針の深奥部まで出し、最後は針先に付いているのを、釣り場の岩・石・ガードレールなどに擦り付けて外し、海中に蹴落とすといった対処を行う。このような処置は、手間がかかるし、不意にウミケムシが手に触れる危険性がある。
【発明の開示】
【発明が解決しようとする課題】
【０００８】
本発明は、通常の魚から針を外すことができるとともに、ウミケムシが掛かった場合には、ウミケムシや餌さに触れることなく、空中でウミケムシや餌さを外し、そのまま海中に落として処分できる針外し器を提供することを目的とする。
【課題を解決するための手段】
【０００９】
本発明の針外し器（１）は、  握り（２）、該握り（２）から先側に延びる柄（４）、及び、該柄（４）の先側に設けられた先部（６）を備え、  該先部（６）に、  ハリス（17）及び針（15）を通す溝（67）と、  該溝（67）の近傍に配設された、前記針（15）のフトコロ（15m）が当たって該針（15）の回る中心となるピン（８）と、を有することを特徴とする。
【００１０】
本発明の針外し器（１）においては、  前記先部（６）は、二股状に先側に突き出す前下突片（65）及び後側突片61を有し、  両突片（65・61）の間に、前記溝（67）が先開き略Ｕ字状に形成されており、  前記ピン（８）が、前記溝（67）の上方に、隙間（Ｓ）を開けて架設されていることができる。
【００１１】
本発明の針外し器（１）においては、  前記溝（67）の元側奥の壁（63）が半円状に先側に突出するように形成されており、前記針（15）のフトコロ（15m）の保持部となりうることが好ましい。
【発明の効果】
【００１２】
本発明の針外し器（１）を用いて、ハリス（17）と針（15）を溝（67）に通し、ハリス（17）を引っ張りながら針（15）を溝（67）内に引き込むと、しごかれるように、ウミケムシ（12）の口（12b）から針（15）が引き出される。次に、ハリス（17）を回すと、釣針（15）はピン（８）を中心にして回動する。これにより、ウミケムシ（12）の口（12b）から針（15）が抜け、ウミケムシ（12）は、自重で下に落ちる。そのため、ウミケムシが掛かった場合には、ウミケムシ（１２）に触れることなく、空中でウミケムシ（飲み込んでいる餌さを含む）を外し、そのまま海中に落として処分できる。
【図面の簡単な説明】
【００１３】
【図１】本発明の実施形態に係る針外し器１の全体構成を示す斜視図である。
【図２】図１の針外し器１の先部６を示す図であり、（Ａ）は側面図、（Ｂ）は平面図、（Ｃ）は先端側から見た正面図である。
【図３】本実施形態の針外し器１を用いてウミケムシ12を釣針15から外す動作を説明する図であり、ウミケムシ12を釣った針15・ハリス17が垂れた状態で、針外し器先部６をハリス17に添えている状態である。
【図４】図３から進んで、ハリス17を針外し器先部６の溝67に入れた状態である。
【図５】図４から進んで、ハリス17を引いてウミケムシ12を針15のフトコロ15mの深奥部までしごき出している状態である。（Ａ）は全体の図、（Ｂ）は針外し器先部６やウミケムシ12、針15の拡大図である。
【図６】図５から進んで、ハリス17・針15を約１８０°回してウミケムシ12の口から針15を抜き、ウミケムシ12を下に落下させている状態である。
【図７】本実施形態の針外し器１を、従来の「編み棒型」の針外し器同様に用いて、魚11の針外しをする動作を説明する図であって、溝67にハリス17を通した状態である。
【図８】図７から進んで、針外し器先部６を魚11の口奥まで差し込んで、針フトコロ15mに、溝67の元側奥の壁63が当たった状態である。
【図９】図８から進んで、針15を針刺さり部11fから抜く動作を説明する図である。
【符号の説明】
【００１４】
Ｈ;手、LH;左手、RH;右手、F1;親指、F2；人差し指
１；針外し器、２；握り、４；柄、６；先部、6r；先部下面
61；後側突片、61b；柄接続部、61d；元部、61g；前面、61k；先部、61p；先端
63；（溝67の）元側奥の壁
65；前下突片、65b；接続部、65d；元部、65g；前面、65j；上面、65k；先部、
65m；上面（ピン対向）、65p；先端、          67；溝、
８；ピン、8b；先端、Ｓ；隙間
11；魚、11b；魚口、11f；針刺さり部
12；ウミケムシ、12b；口、
15；針、15b；針先、15m；フトコロ、17；ハリス
【発明を実施するための形態】
【００１５】
以下、本発明の実施の形態について、図面を参照しながら詳細に説明する。
図１は、本発明の実施形態に係る針外し器１の全体構成を示す斜視図である。
図２は、図１の針外し器１の先部６を示す図であり、（Ａ）は側面図、（Ｂ）は平面図、（Ｃ）は先端側から見た正面図である。
【００１６】
図１・図２に示す方向の意味は次のとおりである。「元」は針外し器１を手Ｈで握る握り２の側であり、「先」はその反対方向であって、ウミケムシ12や針15（図３参照）を処置する部位の側である。「上」及び「下」は、この針外し器１を使用する状態（図３参照）における概略の上方向あるいは下方向を示す。「前」は、針外し器１を右手で持った使用者から見た手前側であり、「後」はその反対側である。
【００１７】
針外し器１の本体は、全体として棒状の物であり、プラスチック材料あるいは金属材料などを成形して作製される。針外し器１の本体の握り２は、針外し器１を使用する場合に手Ｈで握る直棒状の部分である。柄４は、握り２の先側につながって延びる棒状の部分であり、その断面は、柄４よりもやや小さくなっている。柄４の先には、ウミケムシ12や針15（図３参照）を処置する先部６が接続されている。
【００１８】
針外し器１の長さは、ウミケムシに手が触れないようにすることなどを考慮して、１５〜２０ｃｍ程度が好ましい。先部６の断面寸法は、カレイなどの中型魚の針外しに使えるように、縦横９ｍｍ程度以下が好ましい。しかし、これらの寸法に限定されるものではない。
【００１９】
先部６は、主に、前下突片65と、後側突片61と、ピン８から構成されている。
前下突片65は、柄４の前側部分から先側に延び出している。前下突片65は、図２（Ａ）に最も分かり易く示すように、柄４との接続部65bで最も上下に部厚く、そこから先に向かって元部65d・先部65k・先端65pと行くにしたがって、厚さが薄くなる。すなわち、前下突片65は、先尖りの略三角形状である。したがって、前下突片65の上面65jは、先に行くにしたがって下に下がる傾斜面となっている。
【００２０】
前下突片65の元部65dは、図２（Ｂ）に最も分かり易く示すように、後側突片61の前側につながっている。しかし、前下突片65の先部65kは、後側突片61から離れており、両者の間に、先開きの溝67が形成されている。前下突片65の先部65kの先端65pは、小さめのアールの付いた突出部となっている。前下突片65の先端65pは、後側突片61の先端61pとほぼ同じ先元方向位置にある。
【００２１】
後側突片61も、前下突片65同様に、柄４の前側部分から先側に延び出している。しかし、後側突片61は先に行くにしたがって少し上に盛り上がった形状（蛇の頭のような形状）である。後側突片61の柄接続部61b、及び、その先につながる元部61dは、図２（Ｂ）に最も分かり易く示すように、前下突片65につながっている。しかし、後側突片61の先部61kは、前下突片65から離れており、両者の間に、先開きの溝67が形成されている。後側突片61の先部61kの先側は、下に傾斜して（厚さが急に薄くなって）、その先端61pに至っている。先端61pは、やや大きめのアールの付いた突出部となっている。
【００２２】
溝67は平面視で細いＵ字状をしており、その幅は一例で２ｍｍである。溝67の元側奥の壁63は、図２（Ａ）破線で示すように、前下突片元部65dと後側突片元部61dとがつながった部分の先側端において、半円状に先側に突出するように形成されている。
【００２３】
後側突片61の先部61kの上部には、ピン８（典型的にはステンレス鋼製）が前側に延びるように植設されている。ピン８は、図２（Ａ）・（Ｃ）に分かり易く示すように、前下突片65の先部65kの上面（ピン対向面）65mの上方において前側に延びている。ピン８の下面と前下突片先部65kの上面65mとの間には、図２（Ａ）に分かり易く示すように、隙間Ｓ（一例で1.5mm）が開いている。ピン８の先端8b（前側端）は、図２（Ｃ）・（Ｂ）に分かり易く示すように、前下突片65の先部65kの側面よりも前側に突き出ている。ピン８の寸法例は太さ２ｍｍ、上記突き出し寸法は１〜２ｍｍである。
【００２４】
次に、図３〜６を参照しつつ、本実施形態の針外し器１を用いてウミケムシ12を釣針15から外す動作について説明する。
図３では、ウミケムシ12が針15にかかって、ハリス17が重力方向に垂れた状態で、ハリス17を、例えば左手LHの親指F1と人差し指F2でつまんでいる。そして、針外し器１を右手RHで持ち、針外し器先部６をハリス17に添えた状態である。なお、手Ｈの左右や指の説明は一例の説明であり、左利きの人は左手で針外し器１を持つであろう。
【００２５】
図３において、針外し器先部６のピン８の先端部の元側にハリス17を当て、ハリス17を前下突片65の先部65kの前面65gに沿わせている。ここから、ハリス17を、ピン８で誘導するように、ピン８の下面と前下突片先部65kの上面65mとの間の隙間Ｓ（図２（Ａ）参照）を通して、さらに前下突片65と後側突片61との間の溝67に入れる。これが、図４の状態である。
【００２６】
図４から、ハリス17を斜め上先方向に引っ張ると、図５に示すように、釣針15がピン８に沿って引き上げられ、ウミケムシ12から出てくる。すなわち、図５（Ｂ）に分かり易く示すように、針外し器先部６の下面6ｒ（図２（Ｃ）・（Ａ）も参照）にウミケムシ12の口12bに当たる。さらにハリス17を引っ張ると、針15が溝67内に引き込まれて、しごかれるように、ウミケムシ12の口12bから引き出される。このとき、ウミケムシ12及び飲み込んでいるイソメも一緒にしごかれ、針15のフトコロ15mの深奥部までしごき出される。
【００２７】
次に、図６に示すように、ハリス17を約１８０°回し、斜め下に降ろしながら（実線さらに想像線のハリス17´のように）、引っ張る。すると、釣針15は、フトコロ15mがピン８に掛かった状態で、ピン８を中心にして反時計方向に回動する。このとき、針15は針先15bを下に向けるように回る。これにより、針先15bに残っているウミケムシ12及びイソメは、溝67の周囲の壁（下面6rなど）に押し当てられ、針先15bだけが溝67に引き込まれる。
【００２８】
このようにして、最後は、ウミケムシ12の口12bから針15が抜け、ウミケムシ12はイソメとともに、自重で、図６のように下に落ちる。なお、針15から外れたウミケムシ12が手の上に落ちることがないよう、ハリス17を斜め４５度程度に引けばウミケムシ12が落ちるようになっている
【００２９】
中型の魚（カレイなど）が掛かった場合は、本実施形態の針外し器１を、従来の「編み棒型」の針外し器同様に用いて針外しできる。
【００３０】
図７〜９は、本実施形態の針外し器１を、従来の「編み棒型」の針外し器同様に用いて針外しする動作を説明する図である。
まず、図７に示すように、ハリス17を針外し器先部６の溝67に通す（図３・４も参照）。そして、図８に示すように、針外し器１の先６を下に向けて、ハリス17に沿って魚11の口11bの奥に、刺さった針15まで差し込む。
【００３１】
そうすると、同じく図８に示すように、溝67の元側奥の壁63が、針15のフトコロ15mに当たって、それ以上針外し器を差し込めなくなる。その後、魚11を手で持つか押えるなどしながら、図９（Ａ）に示すように針外し器を口奥に押す。すると、図９（Ｂ）に示すように、針15が魚11の口内壁の刺さり部11fから抜ける。このまま針外し器１を魚11の口11bから抜けば、針外しできる。これらの動作は、従来の編み棒型の針外し器と同じである。なお、針が魚の唇に掛かったときでも、魚を手で保持して、同じ操作をすれば、針を外すことができる。
【図１】
2017093343.tif 000003
【図２】
2017093343.tif 000004
【図３】
2017093343.tif 000005
【図４】
2017093343.tif 000006
【図５】
2017093343.tif 000007
【図６】
2017093343.tif 000008
【図７】
2017093343.tif 000009
【図８】
2017093343.tif 000010
【図９】
2017093343.tif 000011